(57)【要約】【課題】高弾性繊維ブラジャーカップを提供する。【解決手段】本考案の高弾性繊維ブラジャーカップは、繊維糸が条片で、連続波形折畳方式で堅靭な縦向きの垂直繊維を有する高弾性条片繊維体を成型し、各相隣する縦向け垂直繊維間は、繊維材質の熱溶融特性により結合固定し、適当な尺寸に裁断して、内、外表層裏地を合わせ、熱圧や裁断裁縫方式により生成される。これにより、好ましい弾性、通気性を有し有害毒物を発せず、好ましい着用性が達成される。【選択図】図１
0003125955.tif 000002
【実用新案登録請求の範囲】
【請求項１】
高弾性繊維ブラジャーカップであって、高弾性条片繊維体を適当な尺寸に裁断して、内、外表層裏地をあわせ、熱圧や裁断裁縫方式により生成し、前記高弾性条片繊維体は、繊維糸を条片の形状に敷いてから、連続波形折畳方式で成型し、相互に粘結し堅靭な垂直繊維構成とすることを特徴とする高弾性繊維ブラジャーカップ。
【請求項２】
前記高弾性条片繊維体成型時、底層に一層の不織布を配設すると共に、成型過程に加熱により、各相隣する縦向け垂直繊維間を結合固定し、同時に、前記底層縦向け垂直繊維と不織布を一体に粘結することを特徴とする請求項１に記載の高弾性繊維ブラジャーカップ。
【請求項３】
前記高弾性条片繊維体は、適当な部位に、特定形状の厚さのある垂直繊維をパッドとして、内、表層裏地と合わせて、熱圧や裁断裁縫方式により製造することを特徴とする請求項１に記載の高弾性繊維ブラジャーカップ。
【請求項４】
前記高弾性条片繊維体は、裁断時、適当な尺寸に裁断され、選択的に上下表層の適当な一段を除去することを特徴とする請求項１又は２に記載の高弾性繊維ブラジャーカップ。
【考案の詳細な説明】
【技術分野】
【０００１】
本考案は、ブラジャーカップに関するものであって、特に、高弾性条片繊維体を中間層とし、適度な厚さ、弾性、及び通気性を有する高弾性繊維ブラジャーカップに関するものである。
【背景技術】
【０００２】
ブラジャーは女性が肌に直接身につけるもので、現在、様々な効果や着け心地への要求が高まっている。その中でも、乳房を支えるバストカップ部は非常に重要なパーツである。
【０００３】
一般によく見られるブラジャーの構造は、ウレタンフォーム、不織布、及び、両面ジャージーの三種がある。
【０００４】
ウレタンフォームは、発泡成形型のウレタンフォーム両側表面にそれぞれ、内、外表層裏地を貼合する。これは定型後の持久性が劣り、洗濯時に変形が生じやすく、また、重量も重いし黄ばみやすく表布に染色する。また、通気性が悪いく、着用時に不快感があるなどの問題点があり、また毒性を有し、長期接触使用は不適合で、再利用ができないので環境保全の面からも好ましくない。
【０００５】
不織布カップは、層状長繊維を折畳し、表層に溶剤を噴付けして固定形成する不織布両側表面に、それぞれ内、外表層裏地を貼合する。これは、支承性がよいが、長期使用或いは洗濯により凹陥変形しやすく、弾性と包覆貼性が悪く、着用時、不快感があり、表層溶剤は通気性に影響を与え、若干の毒性もあり、長期接触使用に不適合である。
【０００６】
ジャージーは、両表層布間に対向交錯形成した両面ジャージー布表面に、それぞれ、内、外表層裏地を貼合する。これは、前記の二つより好ましい弾性と通気性を有するが、薄条片の繊維布しか成型できないので、厚い繊維布は提供できないので、実用性と適用性が理想的でなく、またコストも高い。
【考案の開示】
【考案が解決しようとする課題】
【０００７】
本考案は、弾性体として機能する高弾性条片繊維体を、中間層として適度な厚さ、弾性及び通気性を有するブラジャーカップを提供し、上述の問題を改善することを目的とする。
【０００８】
本考案は、高弾性条片繊維体の厚さが３〜５センチで、且つ、繊維は縦向け垂直状である故、弾性が好ましく、持続した圧力を承受した後も迅速に回復し、好ましい、集中機能と包覆機能を提供することをもう一つの目的とする。
【０００９】
本考案は、繊維は縦向け垂直状である故、好ましい通気性と弾性を提供し、快適な着け心地で、変形しにくい長所を提供することを最後の目的とする。
【課題を解決するための手段】
【００１０】
本考案の高弾性繊維ブラジャーカップは、繊維糸が条片で、連続波形折畳方式で堅靭な垂直向けの垂直繊維を有する高弾性条片繊維体を成型し、且つ、成型時、折畳する垂直繊維が分散するのを防止し、底層に一層の不織布を配設すると共に、成型過程で上下表層を加熱し、各相隣する縦向け垂直繊維間は、材質の熱溶融特性により結合固定し、同時に、底層縦向け垂直繊維と不織布は粘結されて一体になり、バスとカップ部の製造時、適当な尺寸に裁断して、縦向け垂直繊維の上下表層を選択的に除去して、その中間の垂直繊維部分を、内、外表層裏地と合わせて、熱圧や裁断裁縫方式により、パッドなし又はパッドありのブラジャーカップを製造する。
【考案の効果】
【００１１】
本考案により、適度な厚さ、弾性及び通気性を有するブラジャーカップが提供され、他に、集中機能と包覆機能や、好ましい通気性と弾性を提供し、快適な着け心地で、変形しにくい長所を提供する。
【考案を実施するための最良の形態】
【００１２】
図１〜図３を参照すると、繊維糸を条片の形状に敷いてから、連続波形折畳方式で堅靭な縦向きの垂直繊維１１を有する弾性機能を有する高弾性条片繊維体１０を成型し、且つ、成型時、折畳する垂直繊維１１が分散するのを防止し、底層に一層の不織布２０を配設すると共に、成型過程で上下表層を加熱し、各相隣する縦向け垂直繊維１１間は、材質の熱溶融特性により結合固定し、同時に、底層縦向け垂直繊維１１と不織布２０は粘結されて一体になる。
【００１３】
図４〜図６で示されるように、バストカップ部の製作時、高弾性条片繊維体１０は、適当な尺寸に裁断されて、縦向け垂直繊維１１の上下表層の適当な一段を選択的に除去して、不織布２０と共に除去し、更に、残った中間の垂直繊維１１部分を、内、外表層裏地３０、４０と合わせて、熱圧や裁断裁縫方式により、パッドなしのブラジャーカップを製造する。或いは、中間垂直繊維１１部分に、特定形状の厚さのある垂直繊維１１’をパッドとして、内、表層裏地３０、４０と合わせて、熱圧や裁断裁縫方式により、パッドありのブラジャーカップを製造する。
【００１４】
図７で示されるように、使用時、中間層は垂直繊維１１であり、好ましい通気性を有するので、使用者の熱気が円滑にカップ外側に排出され、着用時、快適である。
【００１５】
上述の具体例の構造により、以下の効果が得られる。
１．高弾性条片繊維体１０の厚さは３〜５センチで、ジャージーの約１０倍であり、また、垂直繊維１１は縦向け垂直状であるがゆえに、弾性が好ましく、継続した圧力の承受後も、迅速に元の形状に回復し、使用寿命を延長し、更に好ましい集中効果と包覆効果を提供する。
２．中間層は、構造が完全な垂直繊維１１で、好ましい通気性と弾性を提供し、着用時、不快感がなく、着用効果の増加、変形しにくいという長所が達成される。
【００１６】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案明の保護範囲は、実用新案登録請求の範囲で指定した内容を基準とする。
【図面の簡単な説明】
【００１７】
【図１】本考案の高弾性繊維製ブラジャーカップの実施例を示す高弾性帯状繊維体の斜視図である。
【図２】本考案の実施例における高弾性帯状繊維体の成型状態を示す概略側断面図である。
【図３】本考案の実施例における高弾性帯状繊維体の側断面図である。
【図４】本考案の実施例における高弾性帯状繊維体の上面部及び下面部を切断除去する状態を示す側断図である。
【図５】本考案の高弾性繊維製ブラジャーカップの実施例を示すパッドなしブラジャーの中央側断面図である。
【図６】本考案の高弾性繊維製ブラジャーカップの実施例の変形例を示すパッドありブラジャー中央側断面図である。
【図７】本考案の高弾性繊維製ブラジャーカップの使用時における通気状態を示す側断面図である。
【符号の説明】
【００１８】
１０    高弾性条片繊維体
１１    垂直繊維
１１’  垂直繊維
２０    不織布
３０    内表層裏地
４０    外表層裏地
【図１】
0003125955.tif 000003
【図２】
0003125955.tif 000004
【図３】
0003125955.tif 000005
【図４】
0003125955.tif 000006
【図５】
0003125955.tif 000007
【図６】
0003125955.tif 000008
【図７】
0003125955.tif 000009